(57)【要約】      （修正有）【課題】使用者が保護カバーに触れても火傷をすることがなく、かつ、使用者が使用中に眩しさを感じることのない扇風機型暖房装置を提供する。【解決手段】ベース部１と、このベース部１の上部に設けられる胴体部２と、この胴体部２の上方に位置するヘッド部５と、このヘッド部５の前方に配置され、このヘッド部により支持される発熱部３，４とを備えた扇風機型暖房装置であって、発熱部３，４は、ハロゲンヒーターと、このハロゲンヒーターにより発生される熱を前方に向けて反射する反射面を有する反射機構と、発熱部の最前面に設けられ、ハロゲンヒーターと反射機構とを保護する保護カバー３とを備えており、保護カバー３の外表面に反射面からの光に対する防眩効果を持つ植毛が施されている。【選択図】図２
0003105971.tif 000002
【実用新案登録請求の範囲】
【請求項１】
ベース部と、このベース部の上部に設けられる胴体部と、この胴体部の上方に位置するヘッド部と、このヘッド部の前方に配置され、このヘッド部により支持される発熱部とを備えた扇風機型暖房装置であって、
前記発熱部は、ハロゲンヒーター、及び、このヒーターにより発生される熱を前方に向けて反射する反射面とを備え、前記発熱部の最前部には、前記ヒーターと前記反射面とを保護する保護カバーが備えられており、前記保護カバーの外表面に、前記反射面からの光に対する防眩効果を持つ植毛を施してあることを特徴とする扇風機型暖房装置。
【請求項２】
前記保護カバーはリング部とスポーク部とを備え、これら各部に植毛が施されていることを特徴とする請求項１に記載の扇風機型暖房装置。
【請求項３】
前記植毛は、黒、濃灰、茶、こげ茶、青、群青、紫の何れかの色を持つことを特徴とする請求項１または２に記載の扇風機型暖房装置。
【請求項４】
前記ヒーターの前面かつ前記保護カバーの後面側に設けられ、ヒーターからの発熱が直接前方に放射されることを防止する放熱阻止カバーを備え、前記保護カバーの、前記放熱阻止カバーと向かい合う中央領域には、植毛を施さないように構成したことを特徴とする請求項１から３の何れかに記載の扇風機型暖房装置。
【考案の詳細な説明】
【技術分野】
【０００１】
本考案は、ベース部と、このベース部の上部に設けられる胴体部と、この胴体部の上方に位置するヘッド部と、このヘッド部の前方に配置され、このヘッド部により支持される発熱部とを備えた扇風機型暖房装置に関する。
【背景技術】
【０００２】
室内用の暖房装置としては、ストーブやガスファンヒータのような液体燃料や気体燃料を使用するものが知られている。これらは、燃料を燃焼させることにより熱を発生させ、室内温度を暖かくしようとするものである。しかし、これら燃料を使用する暖房装置は、燃焼ガスの発生に伴い室内の空気が濁るため、窓を開けて換気をしなければならない。従って、居住者にとっては換気をするための手間が必要であり面倒である。また、換気を行うことは熱の損失を招くものであり、効率が悪く燃料コストも上昇することになる。
【０００３】
これに対して、扇風機型の暖房装置が知られており、例えば、実用新案登録第３０７８５３９号に開示される暖房装置がある。この暖房装置は、外観を扇風機に似せてあり、持ち運びが容易で扱いやすいという利点がある。上記暖房装置は、扇風機と同様に、ベース部と、このベース部の上部に設けられる胴体部と、この胴体部の上方に位置するヘッド部とを備えている。扇風機の場合は、このヘッド部の前方に羽根を有する送風部が配置されるが、暖房装置の場合は、送風部ではなく発熱部が配置される。そしてこの発熱部は、ハロゲンヒーターと、このヒーターにより発生される熱を前方に向けて反射する反射板と、発熱部の最前面に設けられ、ヒーターと反射板とを保護する安全網（保護カバー）とを備えている。保護カバーは、扇風機の場合も羽根に触らないようにするため設けられるが、暖房装置の場合も、ヒーターや反射板に触らないようにするため設けられる。
【考案の開示】
【考案が解決しようとする課題】
【０００４】
しかしながら、扇風機の場合とは異なり、ハロゲンヒータを用いた扇風機型暖房装置の場合は保護カバー自身がヒーターにより加熱される。また、保護カバーは所望の強度を確保するために、金属で製造されることが多い。金属の熱伝導性が良好であるため、保護カバーに触れると火傷の怖れがある。従って、暖房装置の使用者が保護カバーに触れることにより火傷をしないような工夫が必要である。
【０００５】
さらに、使用者が反射面により反射される光を眩しく感じることがある。そこで、使用者が眩しく感じることがないような対処が望まれる。
【０００６】
また、ハロゲンヒータを用いた扇風機型暖房装置の外観は、その名称が示すように、扇風機の形状をなす。特に、保護カバーは、金属から構成されるために、当該暖房機は扇風機と酷似する。このため、使用者は、冬季等であるにもかかわらず扇風機型暖房装置を瞬間ではあるが、扇風機であると直感し、当該使用者には季節錯誤の違和感が生じる。そこで、使用者に季節錯誤の違和感が生じることがないような対処が望まれる。
【０００７】
本考案は、上記実情に鑑みてなされたものであり、その課題は、使用者が保護カバーに触れても火傷をすることがなく、かつ、使用者が使用中に眩しさを感じることがなく、または扇風機であると直感することがない扇風機型暖房装置を提供することである。
【課題を解決するための手段】
【０００８】
上記課題を解決するため本考案に係る扇風機型暖房装置は、ベース部と、このベース部の上部に設けられる胴体部と、この胴体部の上方に位置するヘッド部と、このヘッド部の前方に配置され、このヘッド部により支持される発熱部とを備えた扇風機型暖房装置であって、前記発熱部は、ハロゲンヒーター、及び、このヒーターにより発生される熱を前方に向けて反射する反射面とを備え、前記発熱部の最前部には、前記ヒーターと前記反射面とを保護する保護カバーが備えられており、前記保護カバーの外表面に、前記反射面からの光に対する防眩効果を持つ植毛を施してあることを特徴とするものである。
【０００９】
本考案では、前記保護カバーはリング部とスポーク部とを備えたものであり、これら各部に植毛を施すことができる。また、前記植毛は、黒、濃灰、茶、こげ茶、青、群青、紫の何れかの色を持つことで、防眩効果を高めることができる。
【００１０】
この構成による扇風機型暖房装置は、ヒーターや反射機構を保護する保護カバーの外表面に植毛を施してある。植毛として使用される素材は、熱伝導率が金属に比べて低いものが使用される。従って、使用者が保護カバーに触れたとしても、火傷をしてしまうという心配が全くない。
【００１１】
のみならず、植毛は、無光沢で防眩効果を有する色に着色されている（眩しくない） ため、室内に配置しても違和感がない（すなわち、扇風機であると直感することがない）。その結果、本考案の課題を解決することのできる扇風機型暖房装置を提供することができる。
【００１２】
本考案の好適な実施形態として、 前記ヒーターの前面かつ前記保護カバーの後面側に設けられ、ヒーターからの発熱が直接前方に放射されることを防止する放熱阻止カバーを備え、前記保護カバーの、前記放熱阻止カバーと向かい合う中央領域には、植毛を施さないように構成したものがあげられる。
【考案の効果】
【００１３】
使用者が保護カバーに触れても火傷をすることがなく、かつ、使用者が使用中に眩しさを感じることがなく、または扇風機であると直感することがない扇風機型暖房装置が提供される。
【考案を実施するための最良の形態】
【００１４】
本考案に係る扇風機型暖房装置の好適な実施形態を図面を用いて説明する。図１は、扇風機型暖房装置の正面から見た外観斜視図であり、図２は、側面から見た外観斜視図である。
【００１５】
この暖房装置は、ベース部１と、ベース部１の上部に設けられる胴体部２と、この胴体部２の上部に設けられるネック部６と、このネック部６の上部に設けられるヘッド部５（胴体部２の上方に位置する。）と、ヘッド部５の前方に設けられる発熱部とを備えている。
【００１６】
ベース部１は、室内の床面上に設置される部分であり、広い平面部を有する。ベース部１には、操作つまみ７が設けられ、「切」「入」「入（首振り）」のいずれかに設定することができる。
【００１７】
胴体部２は、上下方向に伸びる細長形状をしており、固定部２ａと、伸長部２ｂとを有する。固定部２ａは、ベース部１に対して固定されている。伸長部２ｂは、固定部２ａに対して相対的に上下動できるようになっており、発熱部の高さを調整できるようにしている。また、胴体部２の内部は、配線を通すために中空に形成されている。
【００１８】
ネック部６は、伸長部２ｂに対してヒンジ機構により取り付けられており、発熱部を上下方向（鉛直面内）に首振りできるようにしている。すなわち、発熱部を上、水平、下の方向に向けたりして調整できるようにしている。
【００１９】
ヘッド部５の内部には、左右方向の首振り機構や、発熱部の支持機構等が内蔵されている。以上の、ベース部１、胴体部２、ネック部６、ヘッド部５の構成は、扇風機と同様の構成を備えている。
【００２０】
発熱部は、反射面支持部４と、この反射面支持部４の前面に取り付けられる保護カバー３とを備えている。これら反射面支持部４と保護カバー３とは、正面から見ると円形に形成されている。
【００２１】
次に、発熱部の詳細について説明する。図３は、発熱部の詳細を示す分解斜視図である。
【００２２】
反射面支持部４の前面には、反射機構を構成する反射板４０が取り付けられている。反射板４０は、アルミで形成された反射面４０ｂと、保護カバー３を反射面支持部４に取り付けるための取り付け孔４０ａが形成されている。反射面４０ｂは、熱を効率よく前方に反射するために、所定の凹面に形成されている。なお、反射面支持部４は、合成樹脂により形成される。また、手で持ち運びするためのつかみ部４ａも一体形成されている。
【００２３】
保護カバー３は、中央に位置する円板３１と、この円板３１の中心から放射状に多数形成されるスポーク部３２と、最外周に位置するリング部３０とから構成される。これらの各部品は公知の手法により結合される。保護カバー３は、扇風機の場合と同様に、内部の機構に手が触れないようにするために設けられる。また、保護カバー３を構成する部品のうち、リング部３０とスポーク部３２とは、外表面に静電植毛が施される。リング部３０とスポーク部３２は、心材は金属で形成される。これは、所望の強度を確保するためである。ただし、反射面４０ｂにより反射された熱により、保護カバー３が加熱されるため、この保護カバー３に触れた場合に手が熱く感じたり、火傷をしたりする恐れがある。そこで、心材としては金属であるが外表面に静電植毛を施すことで、手で触れたとしても問題がないようにしている。
【００２４】
また、植毛は光沢がなく、防眩効果を有する色に着色される。これにより、使用者に眩しさや違和感を感じさせなくてすむ。色としては、黒、濃灰、茶、こげ茶、青、群青、紫等があげられる。
【００２５】
この植毛は、短繊維（パイル）により形成される。短繊維としては、例えば、綿、６ナイロン、６６ナイロン、ポリエステル等が素材として利用される。また、短繊維は防眩効果を有する色に染色することができる。このような素材は、金属に比べると熱伝導率がかなり低い。従って、暖房装置を使用中であっても、それほど熱くならないため手で触れたとしても問題はない。
なお、保護カバー３のうちの中央部の円板３１（保護カバーの中央領域に相当) については、植毛を施さなくても良い。この部分は後述するヒーター保護カバー４１が配置される関係上、熱が通過しない位置であるからである。これにより、必要以上に植毛を施さなくてすむ。もちろん、念のためにこの円板３１についても静電植毛を施すようにしても良い。
【００２６】
＜植毛を施す装置の構成＞
図４は、保護カバー３に静電植毛を施すための装置を示す概念図である。保護カバー３は、吊り下げ用の治具６０により吊り下げられると共に、電気的にはアースされている。また、保護カバー３を挟むように両側に、パイル供給装置６４が設けられ、さらにその内部に電極６１が配置されている。また、電極６２は絶縁材で被覆されている。電極６１，６２は高電圧に印加されている。パイル供給装置６４により供給される短繊維（パイル）は、電極６１により帯電され、保護カバー３がアースされているため、短繊維は静電気の力により保護カバー３の方向に向かう。また、電極６２をさらに設けているため、相乗的に電界を強化する効果がある。これにより、短繊維の保護カバー３に対する吸引力を強化する。
【００２７】
なお、保護カバー３の表面にはあらかじめ接着剤が塗布されている。これにより、保護カバー３の表面に付着した短繊維は強固に接着される。接着剤としては、アクリル系、ウレタン系、エポキシ系等が好ましく用いられる。接着剤の塗布は、スプレーコート法、ディッピング法等の適宜の方法により行われる。
【００２８】
＜別実施形態＞
本実施形態に開示した構造はあくまでも一例であって、本考案がこれに限定されるものではない。
【図面の簡単な説明】
【００２９】
【図１】扇風機型暖房装置の正面から見た外観を示す斜視図である。
【図２】扇風機型暖房装置の側面から見た外観を示す斜視図である。
【図３】発熱部の詳細を示す分解斜視図である。
【図４】静電植毛装置を示す概念図である。
【符号の説明】
【００３０】
１ ベース部
２ 胴体部
３ 保護カバー
４ 反射面支持部
５ ヘッド部
４０ｂ 反射面
４１ ヒーター保護カバー
４１ａ 反射面
４３ ハロゲンヒーター
【図１】
0003105971.tif 000003
【図２】
0003105971.tif 000004
【図３】
0003105971.tif 000005
【図４】
0003105971.tif 000006